(57)【要約】【課題】１度行ったディスク種別の設定を再度行う場合に、設定に要する時間を短縮することができるディスク装置を提供する。【解決手段】信号再生部に設定される第１のディスク種別を設定する第１設定部と、前記第１のディスク種別に応じた設定情報を用いて再生された前記再生信号のエラーを検出するエラー検出部と、前記エラーが検出された場合に、前記第１のディスク種別を、前記ディスク種別に応じて再生される再生信号の評価値に応じて、第２のディスク種別に変更する第２設定部と、を有する。【選択図】図１
2014175035.tif 000002
【特許請求の範囲】
【請求項１】
複数のディスク種別に対応するディスク装置において、
設定された前記ディスク種別に応じて、レーザー光の波長を含めたディスクを再生するための設定情報を設定し、前記ディスクに前記レーザー光を照射して再生信号を再生する信号再生部と、
前記信号再生部に設定される第１のディスク種別を設定する第１設定部と、
前記第１のディスク種別に応じた設定情報を用いて再生された前記再生信号のエラーを検出するエラー検出部と、
前記エラーが検出された場合に、前記第１のディスク種別を、前記ディスク種別に応じて再生される再生信号の評価値に基づいて、第２のディスク種別に変更する第２設定部と、を有するディスク装置。
【請求項２】
前記第２設定部は、前記第１のディスク種別に応じて選択される前記レーザー光の波長に近いレーザー光の波長が選択されるディスク種別から順に設定して、前記評価値の評価を行う、ことを特徴とする請求項１に記載のディスク装置。
【請求項３】
前記第２設定部は、前記評価値が所定値となった場合に、前記第１のディスク種別を、前記所定値となった評価値に対応する第２のディスク種別に変更する、ことを特徴とする請求項１又は請求項２のいずれかに記載のディスク装置。
【請求項４】
複数のディスク種別に対応するディスク装置において、
設定された前記ディスク種別に応じて、レーザー光の波長を含めたディスクを再生するための設定情報を設定し、前記ディスクに前記レーザー光を照射して再生信号を再生する信号再生部と、
前記信号再生部に設定される第１のディスク種別を設定する第１設定部と、
前記第１のディスク種別に応じた設定情報を用いて再生された前記再生信号のエラーを検出するエラー検出部と、
前記エラーが検出された場合に、前記第１のディスク種別以外の他の全てのディスク種別に応じて再生される再生信号に基づいて得られる評価値の評価を行い、前記第１のディスク種別を、前記評価値が所定値となる第２のディスク種別に変更する第２設定部と、を有するディスク装置。
【請求項５】
前記再生信号には、前記レーザー光の焦点度合いを示すフォーカスエラー信号が含まれ、
前記第２設定部は、前記フォーカスエラー信号に基づいて、前記評価値を取得する、請求項１から請求項４のいずれか一項に記載のディスク装置。
【請求項６】
前記エラー検出部は、前記再生信号に基づいてフォーカスエラーを検出する、請求項１から請求項５のいずれか一項に記載のディスク装置。
【請求項７】
前記複数のディスク種別には、少なくとも、ＤＶＤとブルーレイ・ディスクとを含む、請求項１から請求項６のいずれか一項に記載のディスク装置。
【請求項８】
前記第１設定部と前記第２設定部によるディスク種別の設定は、前記ディスクの再生を開始する際に行われる、請求項１から請求項７のいずれか一項に記載のディスク装置。
【請求項９】
ディスクに対してディスク種別を設定する設定方法において、
信号再生部に第１のディスク種別を設定する第１設定工程と、
設定された前記第１のディスク種別に応じて、レーザー光の波長を含めた前記ディスクを再生するための設定情報を設定し、前記信号再生部に前記ディスクに前記レーザー光を照射して再生信号を再生させ、前記再生された前記再生信号のエラーを検出するエラー検出工程と、
前記エラーが検出された場合に、前記第１のディスク種別を、前記ディスク種別に応じて再生される再生信号の評価値に基づいて、第２のディスク種別に変更する第２設定工程と、を有するディスク種別の設定方法。
【請求項１０】
ディスクに対してディスク種別を設定する設定方法において、
信号再生部に第１のディスク種別を設定する第１設定工程と、
設定された前記第１のディスク種別に応じて、レーザー光の波長を含めた前記ディスクを再生するための設定情報を設定し、前記信号再生部に前記ディスクに前記レーザー光を照射して再生信号を再生させ、前記再生された前記再生信号のエラーを検出するエラー検出工程と、
前記エラーが検出された場合に、前記第１のディスク種別以外の他の全てのディスク種別に応じて再生される再生信号に基づいて得られる評価値の評価を行い、前記第１のディスク種別を、前記評価値が所定値となる第２のディスク種別に変更する第２設定工程と、を有する設定方法。
【発明の詳細な説明】
【技術分野】
【０００１】
本発明は、種類の異なる種別のディスクに対応するディスク装置に関する。
【背景技術】
【０００２】
従来、レーザー光をディスクに照射し、ディスクからの反射光に基づいて該ディスクに記録された情報を読み取るディスク装置が知られている。また、近年、ディスク装置が再生可能なディスクの種類は、ＣＤ（Compact Disc）、ＤＶＤ（Digital Versatile Disc）、ＢＤ（Blu-ray Disc、ブルーレイ・ディスク（登録商標））といったように増加している。そのため、これら複数のディスクに対応できるディスク装置も知られている。
【０００３】
ディスク装置が、複数のディスク種別に対応するために、ディスクに対して再生又は記録を行う前に、今から再生等を行うディスク種別を認識しておく必要がある。即ち、ＣＤ、ＤＶＤ、ＢＤは、データーの記録密度や、記録層までの厚みが異なるため、再生等するディスクに合わせてレーザー光の波長や、焦点距離等を事前に設定しておく必要がある。そのため、ディスクに対する再生処理の前段階に、レーザー光をディスクに照射し、該ディスクからの反射光をもとに再生された信号に基づいて、ディスク種別の設定を行う装置が知られている（例えば、特許文献１−３参照）。
【先行技術文献】
【特許文献】
【０００４】
【特許文献１】特開２０１１−４０１１４号公報
【特許文献２】特開２００８−２５７７９６号公報
【特許文献３】特開２００７−２６５５９０号公報
【発明の概要】
【発明が解決しようとする課題】
【０００５】
上記のように、複数のディスク種別に対応できるディスク装置では、ディスク種別を設定した場合でも、設定したディスク種別が正しくなく、エラーが生じる場合がある。即ち、ディスク装置が自動でディスク種別を設定する場合では、ディスクに生じた傷や、ホコリの付着等により、ディスク装置が誤まって設定を行うこともある。また、利用者がディスク種別を指定する場合では、利用者が指定したディスク種別が間違っている場合もある。そのため、ディスクの再生時等においてエラーが生じた場合、ディスク装置は、再度ディスク種別を設定し、レーザー光の波長や焦点距離を変更する必要がある。
しかし、２回目の設定では、１回目の設定を繰返すこととなるため、ディスクの再生等を開始するまでに要する時間が長くなるという問題がある。
【０００６】
本発明は、上記課題にかんがみてなされたもので、その目的の１つとして、１回目以降のディスク種別の設定において、設定に要する時間を短縮することができるディスク装置、設定方法を提供することにある。
【課題を解決するための手段】
【０００７】
上記課題を解決するために、本発明では、複数のディスク種別に対応するディスク装置において、設定された前記ディスク種別に応じて、レーザー光の波長を含めたディスクを再生するための設定情報を設定し、前記ディスクに前記レーザー光を照射して再生信号を再生する信号再生部と、前記信号再生部に設定される第１のディスク種別を設定する第１設定部と、前記第１のディスク種別に応じた設定情報を用いて再生された前記再生信号のエラーを検出するエラー検出部と、前記エラーが検出された場合に、前記第１のディスク種別を、前記ディスク種別に応じて再生される再生信号の評価値に応じて、第２のディスク種別に変更する第２設定部と、を有する。
【０００８】
上記のように構成された発明では、ディスク装置は、複数のディスク種別を再生することができる。このような再生に先立って、まず、第１設定部は、対象となるディスク種別を設定する。第１設定部によるディスク種別の設定は、第１設定部が自動で行うもの以外にも、利用者がディスク種別をディスク装置に指定してやり、この指定に基づいて第１設定部が設定するものであってもよい。
【０００９】
次に、エラー検出部は、第１のディスク種別に応じて再生された再生信号のエラーを検出する。再生信号のエラーが検出された場合、第１設定部が設定したディスク種別が対象のディスク種別と一致していない場合であるため、第２設定部は、ディスク種別の設定を再度実行する。このとき、第２設定部は、ディスク種別に応じて再生される再生信号の評価値に基づいて第２のディスク種別に変更する。
【００１０】
そのため、次に行われるディスク種別の設定では、初めに設定された第１のディスク種別の結果を反映させて設定行うため、設定に要する時間を短くすることができる。
【００１１】
また、本発明は、複数のディスク種別に対応するディスク装置において、設定された前記ディスク種別に応じて、レーザー光の波長を含めた前記ディスクを再生するための設定情報を設定し、前記ディスクに前記レーザー光を照射して再生信号を再生する信号再生部と、前記信号再生部に設定される第１のディスク種別を設定する第１設定部と、前記第１のディスク種別に応じた設定情報を用いて再生された前記再生信号のエラーを検出するエラー検出部と、前記エラーが検出された場合に、前記第１のディスク種別以外の他の全てのディスク種別に応じて再生される再生信号に基づいて得られる評価値の評価を行い、前記第１のディスク種別を、前記評価値が所定値となる第２のディスク種別に変更する第２設定部と、を有する構成としてもよい。
【００１２】
上記のように構成された発明では、１回目以降に行われるディスク種別の設定では、初めに設定された第１のディスク種別以外のディスク種別を用いて設定行うため、設定に要する時間を短くすることができる。
【００１３】
さらに、前記再生信号には、前記レーザー光の焦点度合いを示すフォーカスエラー信号が含まれ、前記第２設定部は、前記フォーカスエラー信号に基づいて、前記評価値を取得する、構成としてもよい。
上記のように構成された発明では、対象となるディスク種別と、設定されたディスク種別とが異なると、レーザー光の焦点が定まらなくなる傾向がある。そのため、フォーカスエラー信号を用いて評価値を設定する構成とすれば、ディスク種別のミスにより生じる焦点誤差を抑制することができる。
【００１４】
そして、前記エラー検出手段は、前記再生信号に基づいてフォーカスエラーを検出する、構成としてもよい。
上記のように構成された発明では、ディスク種別の設定ミスにより生じるフォーカスエラーを抑制することができる。
【００１５】
さらに、前記複数のディスクタイプには、少なくとも、ＤＶＤとブルーレイ・ディスク（登録商標）とを含む構成としてもよい。
ＤＶＤとブルーレイ・ディスクとは、使用されるレーザー光の波長が大きく異なる。そのため、上記のように構成された発明では、レーザー光の波長が不適切である場合に生じる再生不良を抑制することができる。
【００１６】
また、前記第１の設定部は、前記再生対象のディスクの再生を開始する際に、前記識別処理を行なう構成としてもよい。
上記のように構成された発明では、ディスク種別の設定を間違えた場合でも、再生や書き込みに要するトータル時間を短くすることができる。
【００１７】
そして、本発明は、物の発明以外にも、ディスク種別を設定するための設定方法といった方法の発明に対しても適用することができる。
【図面の簡単な説明】
【００１８】
【図１】ディスク装置１００の構成を示すブロック図である。
【図２】本発明の一実施形態に係る光ピックアップ１の光学系を示す概略図である。
【図３】ディスク装置１００により実行される処理を示すフローチャートである。
【図４】ディスク装置１００が使用する設定情報を説明する図である。
【図５】第２の設定処理を示すフローチャートである。
【図６】第２の設定処理による評価情報の評価順序を説明する図である。
【図７】ディスク装置の第２の設定処理を示すフローチャートである。
【図８】ディスク装置の第２の設定処理を示すフローチャートである。
【発明を実施するための形態】
【００１９】
以下、下記の順序に従って本発明の実施形態を説明する。
１．第１の実施形態：
２．第２の実施形態：
３．その他の実施形態：
【００２０】
１．第１の実施形態：
１．１．ディスク装置１００の構成：
図１は、ディスク装置１００の構成を示すブロック図である。また、図２は、本発明の一実施形態に係る光ピックアップ１の光学系を示す概略図である。図３は、ディスク装置１００により実行される処理を示すフローチャートである。また、図４は、ディスク装置１００が使用する設定情報を説明する図である。
【００２１】
ディスク装置１００は、ＢＤ−ＳＬ、ＢＤ−ＸＬ、ＤＶＤ、ＣＤの４つのディスクタイプ（ディスク種別）に対応している。このディスク装置１００では、例えば、ＢＤ−ＳＬのディスクを再生する場合、このディスクに対してレーザー光を照射する。そして、ディスク装置１００は、レーザー光が照射されたディスクからの反射光をもとに再生信号（後述する、ＲＦ、ＦＥ、ＴＥ）を再生し、この再生信号をもとに、音声情報又は画像情報を生成し、図示しない表示装置等の外部機器に出力する。
【００２２】
また、図１に示すように、ディスク装置１００は、信号再生部１０と、ＤＳＰ（Digital Signal Processor）３１、Ｄ／Ａ回路３２、出力回路３３、メモリ４０、システムコントローラ４１、表示部４３、操作部４４、を備えている。
また、信号再生部１０は、光ピックアップ１、信号生成回路２１、ドライバ４２、送りモーター２２、及びスピンドルモーター２３を備えている。
【００２３】
信号再生部１０に備えられる光ピックアップ１は、ディスク２にレーザー光を照射して、ディスク２に記録された再生信号の読み取りを行う。図２に示すように、光ピックアップ１は、第１光源１１ａと、第２光源１１ｂと、ダイクロプリズム１２と、コリメートレンズ１３と、ビームスプリッタ１４と、立ち上げミラー１５と、液晶素子１６と、対物レンズ１７と、検出レンズ１８と、光検出器１９と、アクチュエータ２０とを備えている。
【００２４】
第１光源１１ａは、ＤＶＤに対応する６５０ｎｍ帯のレーザー光と、ＣＤに対応する７８０ｎｍ帯のレーザー光とを出射できるレーザダイオードである。第２光源１１ｂは、ＢＤ−ＳＬ及びＢＤ−ＸＬに対応する４０５ｎｍ帯のレーザー光を出射できるレーザダイオードである。
なお、本実施形態では、第１光源１１ａは、２種類の波長のレーザー光を出射できる二つの発光点を有する２波長一体型のレーザダイオードを用いているが、これに限られる趣旨ではなく、例えば単一の波長のレーザー光のみを出射するレーザダイオードをディスク毎に用いても構わない。
【００２５】
ダイクロプリズム１２は、第１光源１１ａから出射されるレーザー光を透過し、第２光源１１ｂから出射されるレーザー光を反射する。そして、第１光源１１ａ及び第２光源１１ｂから出射されるレーザー光の光軸を一致させる。ダイクロプリズム１２において、透過又は反射されたレーザー光は、コリメートレンズ１３に送られる。
【００２６】
コリメートレンズ１３は、ダイクロプリズム１２を透過したレーザー光を平行光に変換する。ここで、平行光とは、第１光源１１ａ及び第２光源１１ｂから出射されたレーザー光の全ての光路が光軸とほぼ平行である光をいう。コリメートレンズ１３で平行光とされたレーザー光は、ビームスプリッタ１４に送られる。
【００２７】
ビームスプリッタ１４は、入射するレーザー光を分離する光分離素子として機能し、コリメートレンズ１３から送られてきたレーザー光を透過して、ディスク２側へと導くとともに、ディスク２で反射された反射光を反射して光検出器１９側へと導く。ビームスプリッタ１４を透過したレーザー光は、立ち上げミラー１５に送られる。
【００２８】
立ち上げミラー１５は、ビームスプリッタ１４を透過してきたレーザー光を反射してディスク２へと導く。立ち上げミラー１５は、ビームスプリッタ１４からのレーザー光の光軸に対して４５°傾いた状態となっており、立ち上げミラー１５で反射されたレーザー光の光軸は、ディスク２の記録面と略直交する。立ち上げミラー１５で反射されたレーザー光は、液晶素子１６に送られる。
【００２９】
液晶素子１６は、透明電極に挟まれた液晶（いずれも図示せず）に電圧を印加することで、液晶分子がその配向方向を変える性質を利用して、屈折率の変化を制御し、液晶素子１６を透過するレーザー光の位相の制御を可能とする素子である。この液晶素子１６を配置することによって、ディスク２の記録層を保護するカバー層の厚みの違い等によって生じる球面収差の補正が可能となる。液晶素子１６を通過したレーザー光は対物レンズ１７へと送られる。
【００３０】
対物レンズ１７は、液晶素子１６を透過したレーザー光をディスク２の記録面上に集光させる。また、対物レンズ１７は後述するアクチュエータ２０によって、例えば、図２の上下方向及び左右方向に移動可能とされており、フォーカスサーボ信号及びトラッキングサーボ信号に基づいてその位置が制御される。
【００３１】
ディスク２で反射された反射光は、対物レンズ１７、液晶素子１６の順に通過し、立ち上げミラー１５で反射された後、さらにビームスプリッタ１４で反射されて、検出レンズ１８によって光検出器１９へと集光される。
【００３２】
光検出器１９は、フォトダイオード等の受光素子を用いて受光した光を、電気信号に変換して信号生成回路２１へ出力する。光検出器１９は例えば受光部を四分割された受光領域を備えており（図２（ｂ）のＡ、Ｂ、Ｃ、Ｄの各領域）、所定の対となる区画の光量の差に基づいて電気信号を出力する。図２（ｂ）に示すように、受光した光の焦点が合う場合、受光部に受光される光は中心を基準として深円を描き、ＡＤ間の電圧とＢＣ間の電圧との差は最も小さい値となる。一方、受光した光の焦点が合わない場合、受光部に受光される光は深円を描かず、ＡＤ間の電圧とＢＣ間の電圧との差に応じた電圧が発生する。そのため、光検出器１９から出力される信号間の差をＦＥ信号（フォーカスエラー信号）として検出することで、レーザー光の焦点度合いを検出することができる。また、光検出器１９の各受光領域から出力される電気信号の和（即ち、Ａ、Ｂ、Ｃ、Ｄに発生する電圧の総和）をＦＳ信号（フォーカスサム信号）とも記載する。
【００３３】
アクチュエータ２０は、ドライバ４２で生成され出力された対物レンズ駆動信号に従って、対物レンズ１７をディスク２の径方向に移動させる。アクチュエータ２０はそれには限定されないが、ここでは、永久磁石（不図示）によって形成される磁界内にコイル（不図示）に駆動電流を流し、ローレンツ力にて対物レンズ１７を駆動することができるものであってもよい。
またアクチュエータ２０は、対物レンズ１７をディスク２の記録面に沿う方向に移動させるトラッキング動作の他に、対物レンズ１７より照射されるレーザー光の光軸が揺動するように対物レンズ１７を傾動させるチルト動作や、対物レンズ１７をディスク２に対して接近離反するように移動させるフォーカス動作も行うことができる。
【００３４】
図１に戻り、信号生成回路２１は、光ピックアップ１により得られた信号をもとに演算処理を行い、ＲＦ信号、ＦＥ信号、及びＴＦ信号（トラッキングエラー信号）等の各再生信号を生成する。そして生成した再生信号を、ＤＰＳ３１へ出力する。ここで、再生信号を得るディスクの記録領域は、どのような場所であってもよいが、望ましくはディスク２のテスト記録領域に記録された情報を再生することが望ましい。
【００３５】
ドライバ４２は、ＤＳＰ３１から与えられるサーボ信号（後述）等に基づいて、光ピックアップ１、送りモーター２２、及びスピンドルモーター２３の駆動を制御する。送りモーター２２は、光ピックアップ１をディスク２の径方向に駆動する。
更に、ドライバ４２は、システムコントローラ４１により設定されるディスクタイプに応じて、ディスク２を再生するための設定情報を変更する。この設定情報は、第１光源１１ａと第２光源１１ｂとの切換えや、液晶素子１６の屈折率の変化を設定する。なお、ディスクタイプ毎の設定情報については後述する。
【００３６】
スピンドルモーター２３は、ディスク２を回転方向に駆動する。以上により、光ピックアップ１、信号生成回路２１、送りモーター２２、スピンドルモーター２３、ドライバ４２により、本発明の信号再生部が実現される。
【００３７】
ＤＳＰ３１は、信号生成回路２１より入力したＲＦ信号をもとに画像処理を行う施すことにより画像信号を生成し、Ｄ／Ａ回路３２へ与える。Ｄ／Ａ回路３２は、画像信号を不図示のモニタへ出力するためにＤ／Ａ変換処理を行う。変換処理により得られた信号は、出力回路３３により外部装置へ出力される。
またＤＳＰ３１は、信号生成回路２１より入力したＦＥ信号やＴＥ信号に基づいてサーボ信号を生成する。例えばトラッキングサーボを行うためのトラッキングサーボ信号や、フォーカスサーボを行うためのフォーカスサーボ信号を生成する。生成されたサーボ信号はドライバ４２へ与えられる。これにより例えば、光ピックアップ１が含む対物レンズ１７（図２）のトラッキング制御やフォーカス制御等が実施される。
【００３８】
システムコントローラ４１は、ＤＳＰ３１を介して、光ピックアップ１、送りモーター２２、及びスピンドルモーター２３等の動作を制御する。なおシステムコントローラ４１は、例えば複数のマイクロプロセッサ等の演算処理装置上で所定のプログラムを実行することにより実現される。システムコントローラ４１は、操作部４４からの情報を受け付けてＤＳＰ３１に伝送すると共に、ＤＳＰ３１から受けた情報を表示部４３に伝送する。
【００３９】
また、システムコントローラ４１は、例えば、ＣＰＵ（Central Processing Unit）や、ＲＯＭ（Read Only Memory）、ＲＡＭ（Random Access Memory）等を備えて構成される。そして、システムコントローラ４１は、第１設定部５１、エラー検出部５２、第２設定部５３を、機能的に備える。
【００４０】
第１設定部５１は、操作部４４を通じてディスクの再生を示す入力が行われた場合に、ターンテーブルに載置されたディスク２のディスクタイプを設定する。以下、この処理を第１の設定処理とも記載する。この第１設定部５１によるディスクタイプの設定は、ディスク２に対してディスクタイプを識別するための評価情報（後述）を取得し、この評価情報を評価するものの他、ユーザーがディスクに対して予め再生を行うディスクタイプを指定するものであってもよい。
【００４１】
エラー検出部５２は、設定されたディスクタイプに応じて再生された再生信号のエラーを検出する。再生信号のエラー検出方法は様々なものを想定できる。本実施形態では、ＦＥ信号をもとに再生信号のエラーを検出する。例えば、ディスク２のディスクタイプと、設定されたディスクタイプとが一致している場合、光検出器１９が受光した反射光の焦点が合うため、ＦＥ信号の値は低い値に収まる。逆に、ディスク２のディスクタイプと、設定されたディスクタイプとが一致しない場合、光検出器１９が受光した反射光の焦点は合わないため、ＦＥ信号の値は高い値となる。そのため、エラー検出部５２は、再生信号に含まれるＦＥ信号が所定範囲に収まらない場合を再生信号のエラーとして検出する。また、エラー検出部５２が再生信号のエラーを検出する手法としては、ＴＥ信号を用いるものであってもよい。
【００４２】
また、第１の設定処理に基づいて選択された設定情報を用いて再生された再生信号にエラーが生じた場合、第２設定部５３は、再度、ディスクタイプを設定する。再生信号にエラーが生じる場合、第１の設定処理により設定されたディスクタイプとディスク２のディスクタイプと一致していないため、第２設定部５３は、再度、設定処理を実施する。以下、第２設定部５３に実行される処理を第２の設定処理とも記載する。
【００４３】
また、メモリ４０には、ＢＤ−ＳＬ、ＢＤ−ＸＬ、ＤＶＤ、ＣＤの４つのディスクタイプのディスクを再生する際に用いられる設定情報が参照情報４５として記録されている。この参照情報４５は、ディスクタイプ毎に、使用される光源（第１光源１１ａ、第２光源１１ｂ）や、この光源から出力されるレーザー光の波長、更には、液晶素子１６の屈折率を設定するのに用いられるディスク表面から記録層までのカバー層厚みが、記録されている。
【００４４】
図４に示すように、例えば、参照情報４５には、ＢＤ−ＳＬの設定情報として、光源は第２光源１１ｂを使用し、レーザー光の波長が４０５ｎｍ帯、カバー層厚みは０．６ｍｍであることが記録されている。また、参照情報４５には、ＢＤ−ＸＬの設定情報として、光源は第２光源１１ｂを使用し、レーザー光の波長が４０５ｎｍ帯、カバー層厚みは０．１ｍｍであることが記録されている。そして、参照情報４５には、ＤＶＤの設定情報として、光源は第１光源１１ａを使用し、レーザー光の波長が６５０ｎｍ帯、カバー層厚みは０．６ｍｍであることが記録されている。さらに、参照情報４５には、ＣＤの設定情報として、光源は第１光源１１ａを使用し、レーザー光の波長が７８０ｎｍ帯、カバー層厚みが１．２ｍｍであることが記載されている。無論、参照情報４５に記録される情報は一例であり、これに限定されるものではない。例えば、上記したレーザー光の波長や、カバー層の厚みに応じた屈折率を再現するための電圧値が記録されていてもよい。
【００４５】
以下、このようにディスクの再生に先だって、ディスク装置１００が実行する処理を、図３に示すフローチャートをもとに、詳細に説明する。
【００４６】
利用者が操作部４４を操作して、ディスク２の再生を入力した場合、ステップＳ１では、第１設定部５１は、このディスクに対して、第１の設定処理を行なう。第１設定部５１は、設定されたディスクタイプを信号再生部１０のドライバ４２に出力する。そして、ドライバ４２は、設定されたディスクタイプに応じて設定情報を変更する。
本実施形態では、第１の設定処理において、ディスクタイプ毎の評価情報が取得され、この評価情報の評価によりディスクタイプが設定される。評価情報の一例としては、ＦＥ信号とＦＳ信号の振幅比を示すＦＥ／ＦＳ値である。
【００４７】
ＦＥ／ＦＳ値は、ディスク２に対して設定されたディスクタイプが正しければ、その値は大きな振幅がえられ、そうでない場合は小さな振幅が得られる。そのため、第１設定部５１は、ＦＥ／ＦＳ値の値（振幅）が所定範囲に収まる場合に、ディスク２に対するディスクタイプが適切であったと判断できる。
また、これ以外にも、ＦＥ信号の値を用いるものや、利用者がディスクタイプを第１設定部５１に指定するものであってもよい。
なお、後述する第２設定部５３が実施するＦＥ／ＦＳ値を用いた評価においても上記と同様である。
【００４８】
ステップＳ２では、ディスク２にレーザー光を照射して再生信号が再生される。例えば、第１の設定処理においてディスクタイプがＢＤ−ＳＬとして設定された場合、ドライバ４２は、第２光源１１ｂを使用して波長が４０５ｎｍ帯となるレーザー光をディスクに照射させるよう設定し、また、液晶素子１６の屈折率をカバー厚０．６に対応できるよう変化させる。
【００４９】
ステップＳ３では、エラー検出部５２は、信号生成回路２１からＤＳＰ２０を介して出力される再生信号のエラー検出を行う。例えば、エラー検出部５２は、所定時間に再生されるＦＥ信号の内、範囲内に収まらないＦＥ信号又はＴＥ信号の数をもとに、エラー検出を行う。
【００５０】
エラー検出部５２により、再生信号のエラーが検出されない場合（ステップＳ３：ＮＯ）、第１の設定処理は適切であったため、処理を終了する。
【００５１】
一方、エラー検出部５２が再生信号のエラーを検出した場合（ステップＳ３：ＹＥＳ）、ステップＳ４では、第２設定部５３による第２の設定処理が行われる。この第２の設定処理では、ステップＳ１により設定されたディスクタイプにより選択されるレーザー光の波長を基準として、このレーザー光の波長に近いディスクタイプから順に、評価情報の評価が行われる。
【００５２】
即ち、図４に示すように、第１の設定処理によりディスクタイプがＢＤ−ＳＬとして設定されている場合、このＢＤ−ＳＬの設定情報に含まれるレーザー光の波長（４０５ｎｍ）は、ＢＤ−ＸＬの設定情報に含まれるレーザー波長（４０５ｎｍ）が最も近く、ついでＤＶＤ（６５０ｎｍ）、ＣＤ（７８０ｎｍ）の順となる。そのため、上記例では、第２の設定処理では、ＢＤ−ＸＬの評価情報を取得し、この評価情報を評価する。そして、第２設定部５３は、ＢＤ−ＸＬの評価情報の評価が高い場合、ディスクタイプをＢＤ−ＸＬに変更する。一方、ＢＤ−ＸＬの評価情報の評価が低い場合、即ち、ディスク２のディスクタイプがＢＤ−ＸＬと一致しない場合、次に、ＤＶＤの評価情報の評価を行う。そして、ＤＶＤの評価情報の評価が低い場合、ＣＤの評価情報を評価する。
【００５３】
そして、ステップＳ５では、変更後のディスクタイプにより信号再生部１０に再生信号を再生させる。
その後、変更後のディスクタイプにおいても、エラー検出部５２により再生信号のエラーが検出される場合（ステップＳ６：ＹＥＳ）、ステップＳ７では、エラー検出部５２は、表示部４３に該当ディスクが存在しない旨のエラー情報を表示させる。
【００５４】
１．２．ディスクタイプの設定：
図５は、第２の設定処理を示すフローチャートである。このフローチャートにより示される各処理は、図３のステップＳ４で実行される第２の設定処理を詳細に示すものである。また、図６は、第２の設定処理による評価情報の評価順序を説明する図である。
【００５５】
まず、図５のステップＳ４１では、第２設定部５３は、現在設定されているディスクタイプに対応するレーザー光の波長を参照する。例えば、第１の設定処理により、ディスクタイプがＢＤ−ＳＬとして設定されている場合、第２設定部５３は、参照情報４５のＢＤ−ＳＬに該当する設定情報の中から、レーザー光の波長に関するパラメーターを参照する。
【００５６】
ステップＳ４２では、第２設定部５３は、現在選択されているディスクタイプ以外の全てのディスクタイプにおける設定情報を参照する。例えば、第１の設定処理により、ディスクタイプがＢＤ−ＳＬとして設定されている場合、第２設定部５３は、ＢＤ−ＳＬ以外のディスクタイプ（ＢＤ−ＸＬ、ＤＶＤ、ＣＤ）に対応する設定情報を、参照情報４５から読み出す。
【００５７】
ステップＳ４３では、第２設定部５３は、ステップＳ４１、Ｓ４２で読みだされた設定情報を用いて取得される評価情報の評価順序を設定する。このとき、第２設定部５３は、各設定情報に含まれるレーザー光の波長と、ステップＳ４１で読みだされたレーザー光の波長との差分を基に評価を行う順序を設定する。上記例において第１の設定処理によりＢＤ−ＳＬが設定されている場合、図６（ａ）において、評価を行う順序は、ＢＤ−ＸＬ、ＤＶＤ、ＣＤの順序で設定される。なお、説明は省略するが、ディスク装置１００が４つのディスクタイプに対応する場合、図６（ａ）〜（ｄ）に示すように、評価情報の評価順序は４通りとなる。
【００５８】
ステップＳ４４では、ステップＳ４３で設定された順序に従って評価情報が取得される。本実施形態では、評価情報は所定のディスクタイプを設定して信号再生部１０がディスク２を再生した場合の、ＦＥ／ＦＳ値から取得される。評価情報をＦＥ／ＦＳ値とすることは一例であり、これ以外にもＦＥ信号の値のみを用いるものであってもよい。上記例においては、まず、第２設定部５３は、ＢＤ−ＳＬのレーザー光の波長に最も近い波長に設定されるＢＤ−ＸＬに対応する設定情報を用いて、信号再生部１０に再生信号を再生させる。そして、第２設定部５３は、得られた再生信号に含まれるＦＥ信号、及びＦＳ信号をもとに、評価情報（ＦＥ／ＦＳ値）を取得する。
【００５９】
ステップＳ４４で取得したＦＥ／ＦＳ値が所定の範囲内である場合（ステップＳ４５：ＹＥＳ）、ステップＳ４８に進み、第２設定部５３は、ディスクタイプをＢＤ−ＸＬに設定する。即ち、ディスクタイプがＢＤ−ＳＬからＢＤ−ＸＬに変更される。
【００６０】
一方、ステップＳ４４において取得されたＦＥ／ＦＳ値が所定値に収まらない場合（ステップＳ４５：ＮＯ）、ステップＳ４６では、第２設定部５３は、対象となる全てのディスクタイプに対して評価情報を取得したか否かを判断する。本実施例では、４つのディスクタイプの内、ＢＤ−ＳＬ以外の３つのディスクタイプが対象となるため、この３つのディスクタイプを用いて評価情報を評価したか否かが判断される。
【００６１】
対象となる全てのディスクタイプに対して評価情報を評価していなければ（ステップＳ４６：ＮＯ）、第２設定部５３は、評価情報（ＦＥ／ＦＳ値）を取得するディスクタイプを変更する（ステップＳ４７）。上記例では、ＢＤ−ＸＬのレーザー波長の次にＢＤ−ＳＬのレーザー波長と波長が近いディスクタイプはＤＶＤであるため、第２設定部５３はＤＶＤの設定情報を用いて再生された再生信号から評価情報を取得する（ステップＳ４４）。
【００６２】
ＤＶＤの設定情報を用いた評価情報が所定の範囲に収まらない場合（ステップＳ４５：ＮＯ）、ステップＳ４６を経由して、ステップＳ４７において、第２設定部５３は、ディスクタイプをＣＤに変更する。そして、ＣＤの設定情報を用いて再生された再生信号から評価情報を取得する。さらに、この評価情報が所定範囲に収まれば（ステップＳ４５：ＹＥＳ）、ステップＳ４８に進み、第２設定部５３は、ディスクタイプをＣＤとする。
【００６３】
一方、この場合においても評価情報が設定範囲に収まらない場合、全てのディスクタイプ（ＤＶＤ−ＸＬ、ＤＶＤ、ＣＤ）に対して評価情報の評価を行ったため（ステップＳ４６：ＹＥＳ）、図３のステップＳ７に進み、第２設定部５３は、表示部４３にディスク２は、ディスク装置１００が再生可能なディスクタイプでないことを表示させる。
【００６４】
以上説明したように、この第１の実施形態では、１回目以降のディスクタイプの設定においても、前回の設定処理の結果を反映させることで、処理に要する時間を短くすることができる。
更に、ディスクタイプの設定を間違えた場合でも、再生や書き込みに要するトータル時間を短くすることができる。
【００６５】
また、フォーカスエラー信号を用いて評価値を設定する構成とすれば、ディスクタイプのミスにより生じる焦点誤差を抑制することができる。
【００６６】
そして、ブルーレイ・ディスクとＤＶＤ又はＣＤは、使用されるレーザー光の波長が大きく異なる。そのため、このような複数のディスクタイプに対応するディスク装置１００において、レーザー光の波長が不適切である場合に生じる再生不良を抑制することができる。
【００６７】
２．第２の実施形態：
この第２の実施形態では、第２の設定処理において、第１の設定処理で設定されたディスクタイプ以外の全てのディスクタイプに対して評価情報を取得する構成において、第１の実施形態と異なる。一方、ディスク装置１００の構成、及び第１の設定処理と第２の設定処理との順序等については、第１の実施形態と同様であるため、説明を省略する。
【００６８】
図７、図８は、ディスク装置の第２の設定処理を示すフローチャートである。
【００６９】
図３のステップＳ４において、エラー検出部５２が検出したＴＥ信号の値によりトラッキングエラーである場合、図７のステップＳ１１１では、エラーがフォーカスエラーでないため（ステップＳ１１１：ＮＯ）、ステップＳ１１２では、第２設定部５３は、読込み専用（ＲＯＭ）の設定を書き込み対応用対応の設定に変換したか否かを判断する。そして、設定を書き込み対応用のものに変更している場合（ステップＳ１１２：ＹＥＳ）、ステップＳ１１３では、第２設定部５３は、設定を書き込み対応用のものから読込み用のものに変更する。
【００７０】
一方、エラー検出部５２が検出したエラーがフォーカスエラーである場合（ステップＳ１１１：ＹＥＳ）、第２設定部５３は、ステップＳ１２１に進み、第１の設定処理で設定されたディスクタイプを判断する。そして、第１の設定処理で設定されたディスクタイプがＢＤ−ＳＬである場合（ステップＳ１２１：ＹＥＳ）、第２設定部５３は、ステップＳ１２２において、ＢＤ−ＳＬ以外の全てのディスクタイプに対して評価情報（ＦＥ／ＦＳ値）を取得する。即ち、この実施形態では、第１の設定処理で設定されたディスクタイプ以外の全てのディスクタイプに対応する設定情報を用いて、それぞれの評価情報を取得する。
【００７１】
ステップＳ１２３において、評価情報が所定範囲に収まるディスクタイプがＢＤ−ＸＬである場合（ステップＳ１２３：ＹＥＳ）、ステップＳ１２４において、第２設定部５３はディスクタイプをＢＤ−ＸＬに設定する。そのため、以後、ドライバ４２は、設定されたディスクタイプ（ＢＤ−ＸＬ）に応じた設定情報に対応するよう、光源１１ａ、１１ｂや液晶素子１６を駆動させる。
【００７２】
ステップＳ１２３において、評価情報が所定範囲に収まるディスクタイプがＢＤ−ＸＬでなく（ステップＳ１２３：ＮＯ）、評価情報が所定範囲に収まるディスクタイプがＤＶＤである場合（ステップＳ１２５：ＹＥＳ）、ステップＳ１２６において、第２設定部５３はディスクタイプをＤＶＤとして設定する。以後、ドライバ４２は、設定されたディスクタイプ（ＤＶＤ）に応じた設定情報に対応するよう、光源１１ａ、１１ｂや液晶素子１６を駆動させる。
【００７３】
ステップＳ１２５において、評価情報が所定範囲に収まるディスクタイプがＤＶＤでない場合（ステップＳ１２５：ＮＯ）、ステップＳ１２７において、第２設定部５３はディスクタイプをＣＤとして設定する。以後、ドライバ４２は、設定されたディスクタイプ（ＣＤ）に応じた設定情報に対応するよう、光源１１ａ、１１ｂや液晶素子１６を駆動させる。
【００７４】
また、第１の設定処理で設定されたディスクタイプがＢＤ−ＳＬでなく（ステップＳ１２１：ＮＯ）、ＢＤ−ＸＬである場合（ステップＳ１３１：ＹＥＳ）、ステップＳ１３２において、第２設定部５３はＢＤ−ＸＬ以外の全てのディスクタイプに対して評価情報を取得する。
【００７５】
そのため、ステップＳ１３３において、評価情報（ＦＥ／ＦＳ値）が所定範囲に収まるディスクタイプがＢＤ−ＳＬである場合（ステップＳ１３３：ＹＥＳ）、ステップＳ１３４において、第２設定部５３はディスクタイプをＢＤ−ＳＬとして設定する。
また、評価情報が所定範囲に収まるディスクタイプがＢＤ−ＳＬでなく（ステップＳ１３３：ＮＯ）、評価情報が所定範囲に収まるディスクタイプがＤＶＤである場合（ステップＳ１３５：ＹＥＳ）、ステップＳ１３６において、第２設定部５３はディスクタイプをＤＶＤに設定する。
そして、評価情報が所定範囲に収まるディスクタイプがＤＶＤでない場合（ステップＳ１３５：ＮＯ）、ステップＳ１３７において、第２設定部５３はディスクタイプをＣＤに設定する。
【００７６】
一方、第１の設定処理で設定されたディスクタイプがＢＤ−ＸＬでなく（ステップＳ１３１：ＮＯ）、ＤＶＤである場合（ステップＳ１４１：ＹＥＳ）、ステップＳ１４２において、第２設定部５３は、ＤＶＤ以外の全てのディスクタイプに対して評価情報を取得する。
【００７７】
そのため、評価情報が所定範囲に収まるディスクタイプがＢＤ−ＳＬである場合（ステップＳ１４３：ＹＥＳ）、ステップＳ１４４において、第２設定部５３はディスクタイプをＢＤ−ＳＬに設定する。
また、評価情報が所定範囲に収まるディスクタイプがＢＤ−ＳＬでなく（ステップＳ１４３：ＮＯ）、評価情報が所定範囲に収まるディスクタイプがＢＤ−ＸＬである場合（ステップＳ１４５：ＹＥＳ）、ステップＳ１４６において、第２設定部５３はディスクタイプをＢＤ−ＸＬに設定する。
そして、評価情報が所定範囲に収まるディスクタイプがＢＤ−ＸＬでない場合（ステップＳ１４５：ＮＯ）、ステップＳ１４７において、ディスクタイプをＣＤとして設定する。
【００７８】
さらに、第１の設定処理で識別されたディスクタイプがＤＶＤでない場合（ステップＳ１４１：ＮＯ）、ディスクタイプはＣＤとなる。そのため、第２設定部５３は、ステップＳ１５１において、ＣＤ以外の全てのディスクタイプに対して評価情報を取得する。
【００７９】
以下同様に、評価情報が所定範囲に収まるディスクタイプがＢＤ−ＳＬである場合（ステップＳ１５２：ＹＥＳ）、ステップＳ１５３において、第２設定部５３は、ディスクタイプをＢＤ−ＳＬに設定する。
また、評価情報が所定範囲に収まるディスクタイプがＢＤ−ＳＬでなく（ステップＳ１５２：ＮＯ）、評価情報が所定範囲に収まるディスクタイプがＢＤ−ＸＬである場合（ステップＳ１５４：ＹＥＳ）、ステップＳ１５５において、第２設定部５３は、ディスクタイプをＢＤ−ＸＬに設定する。
そして、評価情報が所定範囲に収まるディスクタイプがＢＤ−ＸＬでない場合（ステップＳ１５４：ＮＯ）、ステップＳ１５６において、第２設定部５３は、ディスクタイプをＤＶＤに設定する。
【００８０】
以上説明したように、この第２の実施形態では、ディスクタイプを設定するために再度の処理を行なう場合、前回設定されたディスクタイプ以外のディスクタイプの中から識別信号の評価が高いものをディスクタイプとして設定するため、再度の処理に要する時間を短くすることができる。
【００８１】
３．その他の実施形態：
本発明は様々な実施形態が存在する。
例えば、設定情報は、ドライバ４２が保持するのではなく、システムコントローラ４１が保持するものであってもよい。この場合、ディスクタイプの設定が行なわれると、システムコントローラ４１は、ドライバ４２に対して設定情報を送信する。
【００８２】
また、設定情報により設定される項目は、レーザー光の波長や、液晶素子１６の屈折率の変化に限定されない。例えば、ディスクタイプ毎の記録層の数の違いに起因する読み取り又は書き込み方法を指定するプログラムや、データーであってもよい。
また、ディスク装置１００がディスクタイプを設定する場面は、ディスク２を再生する場合のみならず、ディスク２に情報を書き込む場合にも適用される。
【００８３】
なお、本発明は上記実施例に限られるものでないことは言うまでもない。
即ち、上記実施例の中で開示した相互に置換可能な部材および構成等を適宜その組み合わせを変更して適用してもよい。
公知技術であって上記実施例の中で開示した部材および構成等と相互に置換可能な部材および構成等を適宜置換し、またその組み合わせを変更して適用してもよい。
公知技術等に基づいて当業者が上記実施例の中で開示した部材および構成等の代用として想定し得る部材および構成等と適宜置換し、またその組み合わせを変更して適用してもよい。
【符号の説明】
【００８４】
１…光ピックアップ、２…ディスク、１０…信号再生部、１１ａ…第１光源、１１ｂ…第２光源、１２…ダイクロプリズム、１３…コリメートレンズ、１４…ビームスプリッタ、１５…立ち上げミラー、１６…液晶素子、１７…対物レンズ、１８…検出レンズ、１９…光検出器、２０…アクチュエータ、２１…信号生成回路、２２…送りモーター、２３…スピンドルモーター、３１…ＤＳＰ、３２…Ｄ／Ａ回路、３３…出力回路、４０…メモリ、４１…システムコントローラ、４２…ドライバ、４３…表示部、４４…操作部、４５…参照情報、５１…第１設定部、５２…エラー検出部、５３…第２設定部、１００…ディスク装置
【図１】
2014175035.tif 000003
【図２】
2014175035.tif 000004
【図３】
2014175035.tif 000005
【図４】
2014175035.tif 000006
【図５】
2014175035.tif 000007
【図６】
2014175035.tif 000008
【図７】
2014175035.tif 000009
【図８】
2014175035.tif 000010